【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
サービス情報を提供するための装置であって、前記装置は、
ユーザ機器から関連付け要求を受信するより前に、サービスについて前記ユーザ機器からサービス情報クエリを受信するように構成された受信機と、
送信機と、
サービス情報プロセッサと
を備え、前記サービス情報プロセッサは、
前記送信機を介して、前記サービスを提供する１つまたは複数のサービスデバイスに、サービス発見要求を送信することと、
前記サービス発見要求に応答して、前記受信機を介して、前記サービスを提供する前記１つまたは複数のサービスデバイスに含まれるサービスデバイスからサービス発見応答を受信することと、前記サービス発見応答が、
認証ステータスを識別する第１の部分、
前記認証ステータスを有する要求元ユーザ機器に送信すべきサービス記述情報を識別する第２の部分、および
公開ルールがその間に適用される時間を識別する第３の部分
を有する前記公開ルールを含む、
前記ユーザ機器のユーザ機器認証ステータスが、前記公開ルールの前記第１の部分において識別された前記認証ステータスに対応することを決定することと、
現在の時間が、前記公開ルールがその間に適用される前記時間中にあることを決定することと、
前記サービス記述情報の少なくとも一部分を含むサービス情報応答を生成することと
を行うように構成され、
ここにおいて、前記送信機は、前記ユーザ機器に前記サービス情報応答を送信するようにさらに構成され、前記サービス情報応答は、前記ユーザ機器を認証するより前に送信される、
装置。
【請求項２】
前記サービス情報クエリが事業者識別子をさらに含み、ここにおいて、前記事業者識別子が、ネットワークアクセス識別子、ローミングコンソーシアム識別子、または事業者名のうちの１つまたは複数を含む、請求項１に記載の装置。
【請求項３】
前記公開ルールが、前記サービス記述情報を受信し得る前記要求元ユーザ機器の１つまたは複数の特性を識別する第３の部分をさらに含み、ここにおいて、前記要求元ユーザ機器の前記１つまたは複数の特性が、能力、帯域幅、ロケーション、アクセサリー、または無線アクセス技術を含む、請求項１に記載の装置。
【請求項４】
前記公開ルールは、前記公開ルールがキャッシュされ得るかどうかを示す値と、そうである場合、前記公開ルールがその間にキャッシュされ得る持続時間とを含む第３の部分をさらに含む、請求項１に記載の装置。
【請求項５】
前記サービス情報プロセッサが、複数のサービスから前記サービスを識別するようにさらに構成された、請求項１に記載の装置。
【請求項６】
前記複数のサービスが、複数のサービスプロバイダによって提供される、請求項５に記載の装置。
【請求項７】
前記サービス情報を生成することは、前記公開ルール中に前記ユーザ機器の前記認証ステータスが含まれないと決定すると、サービス見つからず、を示すサービス情報を生成することを備える、請求項１に記載の装置。
【請求項８】
サービス情報を提供する方法であって、前記方法は、
ユーザ機器から関連付け要求を受信するより前に、サービスについて前記ユーザ機器からサービス情報クエリを受信することと、
前記サービスを提供する１つまたは複数のサービスデバイスに、サービス発見要求を送信することと、
前記サービス発見要求に応答して、前記サービスを提供する前記１つまたは複数のサービスデバイスに含まれるサービスデバイスからサービス発見応答を受信することと、前記サービス発見応答が、
認証ステータスを識別する第１の部分、
前記認証ステータスを有する要求元ユーザ機器に送信すべきサービス記述情報を識別する第２の部分、および
公開ルールがその間に適用される時間を識別する第３の部分
を有する前記公開ルールを含む、
前記ユーザ機器のユーザ機器認証ステータスが、前記公開ルールの前記第１の部分において識別された前記認証ステータスに対応することを決定することと、
現在の時間が、前記公開ルールがその間に適用される前記時間中にあることを決定することと、
前記サービス情報の少なくとも一部分を含むサービス情報応答を生成することと、
前記ユーザ機器に前記サービス情報応答を送信することと
を備え、
ここにおいて、前記サービス情報応答は、前記ユーザ機器を認証するより前に送信される、方法。
【請求項９】
前記サービス情報クエリが事業者識別子をさらに含み、ここにおいて、前記事業者識別子が、ネットワークアクセス識別子と、ローミングコンソーシアム識別子と、事業者名とのうちの１つまたは複数を含む、請求項８に記載の方法。
【請求項１０】
前記公開ルールが、前記サービス記述情報を受信し得る前記要求元ユーザ機器の１つまたは複数の特性を識別する第３の部分をさらに含み、ここにおいて、前記要求元ユーザ機器の前記１つまたは複数の特性が、能力と、帯域幅と、ロケーションと、アクセサリーと、無線アクセス技術とを含む、請求項８に記載の方法。
【請求項１１】
前記公開ルールは、前記公開ルールがキャッシュされ得るかどうかを示す値と、そうである場合、前記公開ルールがその間にキャッシュされ得る持続時間とを含む第３の部分をさらに含む、請求項８に記載の方法。
【請求項１２】
サービス情報プロセッサが、複数のサービスプロバイダによって提供される複数のサービスから前記サービスを識別するようにさらに構成された、請求項８に記載の方法。
【請求項１３】
ネットワーク化サービスへのアクセスを提供するための装置であって、前記装置は、
ユーザ機器にサービス情報を提供するアクセスポイントから、前記ネットワーク化サービスについてのサービス発見要求を受信するように構成された受信機と、
前記ネットワーク化サービスを記述するサービス情報を生成することと、前記サービス情報が、
認証ステータスを識別する第１の部分、
前記認証ステータスを有する要求元ユーザ機器に送信すべきサービス記述情報を識別する第２の部分、および
公開ルールがその間に適用される時間を識別する第３の部分
を有する前記公開ルールを含む、
現在の時間が、前記公開ルールがその間に適用される前記時間中にあることを決定することと、
を行うように構成されたサービス情報プロセッサと、
前記サービス発見要求に応答して、前記ユーザ機器に前記サービス情報を提供する前記アクセスポイントに、前記サービス情報を含むサービス発見応答を送信するように構成された送信機と、ここにおいて、前記サービス応答は、前記アクセスポイントが、前記ユーザ機器から関連付け要求を受信するより前に送信される、
前記アクセスポイントを介して前記ユーザ機器に前記ネットワーク化サービスを提供するように構成されたプロセッサと、
を備える、装置。
【請求項１４】
サービス発見要求はユーザ機器によって発生される、請求項１３に記載の装置。
【請求項１５】
前記公開ルールが、前記情報を受信し得る前記要求元ユーザ機器の１つまたは複数の特性を識別する第３の部分をさらに含み、要求元ユーザ機器の前記１つまたは複数の特性が、前記要求元ユーザ機器の能力、帯域幅、ロケーション、アクセサリー、または無線アクセス技術を含む、請求項１３に記載の装置。
【請求項１６】
前記公開ルールは、前記公開ルールがキャッシュされ得るかどうかを示す値と、そうである場合、前記公開ルールがその間にキャッシュされ得る持続時間とを含む第３の部分をさらに含む、請求項１３に記載の装置。
【請求項１７】
前記サービス情報プロセッサが、複数のサービスから前記サービスを識別するようにさらに構成された、請求項１３に記載の装置。
【請求項１８】
アクセスプロキシをさらに備え、前記アクセスプロキシが、サービスソースから前記サービス情報の少なくとも一部分を取得するように構成され、前記サービス情報プロセッサが、前記サービス情報の取得された部分に少なくとも部分的に基づいて前記サービス情報を生成するようにさらに構成された、請求項１３に記載の装置。
【請求項１９】
ネットワーク化サービスへのアクセスを提供する方法であって、前記方法は、
ユーザ機器にサービス情報を提供するアクセスポイントから、前記ネットワーク化サービスについてのサービス発見要求を受信することと、
前記ネットワーク化サービスを記述するサービス情報を生成することと、前記サービス情報が、
認証ステータスを識別する第１の部分、
前記認証ステータスを有する要求元ユーザ機器に送信すべきサービス記述情報を識別する第２の部分、および
公開ルールがその間に適用される時間を識別する第３の部分
を有する前記公開ルールを含む、
現在の時間が、前記公開ルールがその間に適用される時間中にあることを決定することと、
前記サービス発見要求に応答して、前記ユーザ機器に前記サービス情報を提供する前記アクセスポイントに、前記サービス情報を含むサービス発見応答を送信することと、ここにおいて、前記サービス応答は、前記アクセスポイントが、前記ユーザ機器から関連付け要求を受信するより前に送信される、
前記アクセスポイントを介して前記ユーザ機器に前記ネットワーク化サービスを提供することと
を備える、方法。
【請求項２０】
サービス発見要求はユーザ機器によって発生される、請求項１９に記載の方法。
【請求項２１】
前記公開ルールが、前記情報を受信し得る前記要求元ユーザ機器の１つまたは複数の特性を識別する第３の部分をさらに含み、要求元ユーザ機器の前記１つまたは複数の特性が、前記要求元ユーザ機器の能力、帯域幅、ロケーション、アクセサリー、または無線アクセス技術を含む、請求項１９に記載の方法。
【請求項２２】
前記公開ルールは、前記公開ルールがキャッシュされ得るかどうかを示す値と、そうである場合、前記公開ルールがその間にキャッシュされ得る持続時間とを含む第３の部分をさらに含む、請求項１９に記載の方法。
【請求項２３】
サービス情報プロセッサが、複数のサービスから前記サービスを識別するようにさらに構成された、請求項１９に記載の方法。
【請求項２４】
サービスソースから前記サービス情報の少なくとも一部分を取得することをさらに備え、ここにおいて、前記サービス情報を前記生成することは、前記サービス情報の前記取得された部分に少なくとも部分的に基づく、請求項１９に記載の方法。
【手続補正２】
【補正対象書類名】明細書
【補正対象項目名】０１１５
【補正方法】変更
【補正の内容】
【０１１５】
[00126]上記の説明は、本開示の態様を対象としたものであるが、本開示の基本的な範囲を逸脱することなく、本開示の他の態様およびさらなる態様も考案され得、本開示の範囲は、以下の特許請求の範囲によって決定される。
以下に本願の出願当初の特許請求の範囲に記載された発明を付記する。
［Ｃ１］
サービス情報を提供するための装置であって、前記装置は、
サービスについてユーザ機器からサービス情報クエリを受信するように構成された受信機と、
前記サービスについてのサービス発見要求を送信することと、
前記サービスを提供するサービングデバイスからサービス発見応答を受信することと、前記サービス発見応答が、認証ステータスと、前記認証ステータスを有する要求元ユーザ機器に送信すべきサービス情報とを識別する公開ルールを含む、
前記サービス発見応答と前記ユーザ機器の認証ステータスとに少なくとも部分的に基づいて前記サービス情報を生成することと
を行うように構成されたサービス情報プロセッサと、
前記サービス情報を含むサービス情報応答を送信するように構成された送信機とを備える、装置。
［Ｃ２］
前記サービス情報応答が、前記ユーザ機器を認証するより前に送信される、Ｃ１に記載の装置。
［Ｃ３］
前記サービス情報クエリが事業者識別子をさらに含み、ここにおいて、前記事業者識別子が、ネットワークアクセス識別子、ローミングコンソーシアム識別子、または事業者名のうちの１つまたは複数を含む、Ｃ１に記載の装置。
［Ｃ４］
前記公開ルールが、前記情報を受信し得る前記要求元ユーザ機器の１つまたは複数の特性をさらに識別し、ここにおいて、前記要求元ユーザ機器の前記１つまたは複数の特性が、能力、帯域幅、ロケーション、アクセサリー、または無線アクセス技術を含む、Ｃ１に記載の装置。
［Ｃ５］
前記公開ルールは、前記公開ルールがその間に適用される時間を識別する、Ｃ１に記載の装置。
［Ｃ６］
前記公開ルールは、前記公開ルールがキャッシュされ得るかどうかを示す値と、そうである場合、前記公開ルールがその間にキャッシュされ得る持続時間とを含む、Ｃ１に記載の装置。
［Ｃ７］
前記サービス情報プロセッサが、複数のサービスから前記サービスを識別するようにさらに構成された、Ｃ１に記載の装置。
［Ｃ８］
前記複数のサービスが、複数のサービスプロバイダによって提供される、Ｃ７に記載の装置。
［Ｃ９］
前記サービス情報を生成することは、前記公開ルール中に前記ユーザ機器の前記認証ステータスが含まれないと決定すると、サービス見つからず、を示すサービス情報を生成することを備える、Ｃ１に記載の装置。
［Ｃ１０］
サービス情報を提供する方法であって、前記方法は、
サービスについてユーザ機器からサービス情報クエリを受信することと、
前記サービスについてのサービス発見要求を送信することと、
前記サービスを提供するサービングデバイスからサービス発見応答を受信することと、前記サービス発見応答が、認証ステータスと、前記認証ステータスを有する要求元ユーザ機器に送信すべき前記情報とを識別する公開ルールを含む、
前記サービス発見応答と前記ユーザ機器の認証ステータスとに少なくとも部分的に基づいて前記サービス情報を生成することと、
前記サービス情報を含むサービス情報応答を送信することと
を備える、方法。
［Ｃ１１］
前記サービス情報応答が、前記ユーザ機器を認証するより前に送信される、Ｃ１０に記載の方法。
［Ｃ１２］
前記サービス情報クエリが事業者識別子をさらに含み、ここにおいて、前記事業者識別子が、ネットワークアクセス識別子と、ローミングコンソーシアム識別子と、事業者名とのうちの１つまたは複数を含む、Ｃ１０に記載の方法。
［Ｃ１３］
前記公開ルールが、前記情報を受信し得る前記要求元ユーザ機器の１つまたは複数の特性をさらに識別し、ここにおいて、前記要求元ユーザ機器の前記１つまたは複数の特性が、能力と、帯域幅と、ロケーションと、アクセサリーと、無線アクセス技術とを含む、Ｃ１０に記載の方法。
［Ｃ１４］
前記公開ルールは、前記公開ルールがその間に適用される時間を識別する、Ｃ１０に記載の方法。
［Ｃ１５］
前記公開ルールは、前記公開ルールがキャッシュされ得るかどうかを示す値と、そうである場合、前記公開ルールがその間にキャッシュされ得る持続時間とを含む、Ｃ１０に記載の方法。
［Ｃ１６］
サービス情報プロセッサが、複数のサービスプロバイダによって提供される複数のサービスから前記サービスを識別するようにさらに構成された、Ｃ１０に記載の方法。
［Ｃ１７］
ネットワーク化サービスへのアクセスを提供するための装置であって、前記装置は、
前記ネットワーク化サービスについてのサービス発見要求を受信するように構成された受信機と、
前記ネットワーク化サービスを記述するサービス情報を生成するように構成されたサービス情報プロセッサと、前記サービス情報が、認証ステータスと、前記認証ステータスを有する要求元ユーザ機器に送信すべきサービス情報とを識別する公開ルールを含む、
前記サービス情報を含むサービス発見応答を送信するように構成された送信機とを備える、装置。
［Ｃ１８］
サービス発見要求はユーザ機器によって発生され、前記サービス応答が、前記ユーザ機器を認証するより前に送信される、Ｃ１７に記載の装置。
［Ｃ１９］
前記公開ルールが、前記情報を受信し得る前記要求元ユーザ機器の１つまたは複数の特性をさらに識別し、要求元ユーザ機器の前記１つまたは複数の特性が、前記要求元ユーザ機器の能力、帯域幅、ロケーション、アクセサリー、または無線アクセス技術を含む、Ｃ１７に記載の装置。
［Ｃ２０］
前記公開ルールは、前記公開ルールがその間に適用される時間を識別する、Ｃ１７に記載の装置。
［Ｃ２１］
前記公開ルールは、前記公開ルールがキャッシュされ得るかどうかを示す値と、そうである場合、前記公開ルールがその間にキャッシュされ得る持続時間とを含む、Ｃ１７に記載の装置。
［Ｃ２２］
前記サービス情報プロセッサが、複数のサービスから前記サービスを識別するようにさらに構成された、Ｃ１７に記載の装置。
［Ｃ２３］
前記装置がアクセスプロキシを含み、前記アクセスプロキシが、サービスソースから前記サービス情報の少なくとも一部分を取得するように構成され、前記サービス情報プロセッサが、前記サービス情報の取得された部分に少なくとも部分的に基づいて前記サービス情報を生成するようにさらに構成された、Ｃ１７に記載の装置。
［Ｃ２４］
ネットワーク化サービスへのアクセスを提供する方法であって、前記方法は、
前記ネットワーク化サービスについてのサービス発見要求を受信することと、
前記ネットワーク化サービスを記述するサービス情報を生成することと、前記サービス情報が、認証ステータスと、前記認証ステータスを有する要求元ユーザ機器に送信すべきサービス情報とを識別する公開ルールを含む、
前記サービス情報を含むサービス発見応答を送信することと
を備える、方法。
［Ｃ２５］
サービス発見要求はユーザ機器によって発生され、前記サービス応答が、前記ユーザ機器を認証するより前に送信される、Ｃ２４に記載の方法。
［Ｃ２６］
前記公開ルールが、前記情報を受信し得る前記要求元ユーザ機器の１つまたは複数の特性をさらに識別し、要求元ユーザ機器の前記１つまたは複数の特性が、前記要求元ユーザ機器の能力、帯域幅、ロケーション、アクセサリー、または無線アクセス技術を含む、Ｃ２４に記載の方法。
［Ｃ２７］
前記公開ルールは、前記公開ルールがその間に適用される時間を識別する、Ｃ２４に記載の方法。
［Ｃ２８］
前記公開ルールは、前記公開ルールがキャッシュされ得るかどうかを示す値と、そうである場合、前記公開ルールがその間にキャッシュされ得る持続時間とを含む、Ｃ２４に記載の方法。
［Ｃ２９］
サービス情報プロセッサが、複数のサービスから前記サービスを識別するようにさらに構成された、Ｃ２４に記載の方法。
［Ｃ３０］
サービスソースから前記サービス情報の少なくとも一部分を取得することをさらに備え、およびここにおいて、前記サービス情報を前記生成することは、前記サービス情報の前記取得された部分に少なくとも部分的に基づく、Ｃ２４に記載の方法。